(57)【要約】【課題】  ユーザーが記録剤を交換するまで後続の印刷ジョブの印刷が滞ってしまうことを回避でき、印刷時に残量切れエラーが発生した場合は他種類の記録剤によって印刷可能な待機中の印刷ジョブを検索し、優先させて印刷することができる印刷装置およびプリントサーバを提供する。【解決手段】  印刷時に単一種類の記録剤が残量不足あるいは残量切れになっても、カラー印刷装置においては記録剤が多種類搭載されており他の記録剤が十分に残っている可能性があるため、印刷時に残量切れエラーが発生した場合は他種類の記録剤によって印刷可能な待機中の印刷ジョブを検索し、優先させて印刷することを特徴とする印刷装置およびプリントサーバ。【選択図】        図１
2006263968.tif 000002
【特許請求の範囲】
【請求項１】
印刷命令および印刷データを送受信することのできる通信手段と、複数種類の記録剤と、各記録剤に記録剤残量検知手段を備え、印刷中に通信媒体を通して複数の外部機器からの印刷要求命令を受信した場合に印刷キューを受付順番で保持する記憶手段と、１つ以上の記録剤の残量切れを検知した時に印刷キューを検索し他の記録剤を使用することで印刷可能な印刷キューが見つかった場合には受付順番を変更する印刷ジョブ管理手段を備え、外部機器からネットワークを介して印刷処理を実行することを特徴とする印刷装置。
【請求項２】
印刷命令および印刷データを送受信することのできる通信手段と、複数種類の記録剤と、各記録剤に記録剤残量検知手段を備え、印刷中に通信媒体を通して複数の外部機器からの印刷要求命令を受信した場合に受付順番で印刷キューとして保持する記憶手段と、待機中の印刷ジョブの記録剤予測使用量を算出する手段を有し、記録剤残量検知結果と記録剤予測使用量の比較から各印刷ジョブでの記録剤の残量切れを予測し、印刷キューを検索し印刷不可能な印刷キューが見つかった場合には受付順番を変更する印刷ジョブ管理手段を備え、外部機器からネットワークを介して印刷処理を実行することを特徴とする印刷装置。
【請求項３】
前記印刷ジョブ管理手段によって印刷キューの順番を変更する場合に、印刷ジョブの送信元である外部装置を特定し、印刷待機中のすべての外部装置に印刷キューの順番が変更されることを通知する手段、あるいは印刷ジョブの送信元の外部装置だけに印刷キューの順番が変更されることを通知する手段を備えたことを特徴とする請求項１または２に記載の印刷装置。
【請求項４】
前記印刷ジョブ管理手段において、１つ以上のカラー記録剤の残量切れあるいは残量不足を検知した時に印刷キューを検索し、モノクロの記録剤のみを使用することで印刷可能な印刷キューが見つかった場合には受付順番を変更することを特徴とする請求項１または２に記載の印刷装置。
【請求項５】
外部機器から送信された印刷要求ジョブの記載情報を読み込み印刷に使用する記録剤の種類を判定する手段と、印刷装置に備えられた用紙種類検知手段によって検知された用紙種類から印刷に使用する記録剤種類を判定する手段と、用紙種類検知手段とを備えたことを特徴とする請求項１または２に記載の印刷装置。
【請求項６】
前記通信手段と、印刷キューの記憶手段と、印刷ジョブ管理手段に関して請求項１または２に記載の印刷装置と同等の機能を備えたことを特徴とするプリントサーバ。
【発明の詳細な説明】
【技術分野】
【０００１】
本発明は、ネットワークを介して出力可能な印刷装置およびプリントサーバにおいて、ネットワークを介して入力された印刷要求情報と印刷実行順位の管理手段および印刷方法に関する。
【背景技術】
【０００２】
現在、コンピュータと周辺機器の利用形態の多くは、有線ＬＡＮや無線ＬＡＮ（ローカル・エリア・ネットワーク）によって相互に接続され、複数のユーザーが限定された資源を共有できるようになっており、印刷装置においても共有化が進んでいる。また、情報を共有するメリットの大きい会社のオフィスのみならず、一般の家庭内においてもテレビ、ビデオ、パソコン等の記録データを交換したり、家族で共有して使用できるようなネットワークシステムが利用されるようになっている。
【０００３】
ＬＡＮなどのネットワークを介して接続された１台の印刷装置に対して、複数のユーザーが手元のコンピュータから印刷をほぼ同じ時期に実行した場合、印刷装置側では印刷命令をネットワークを介して印刷装置側で受信した順番通りに印刷を実行するための手段を持っていることがユーザーにとっては望ましい。
【０００４】
ユーザーからの印刷要求の順番通りに出力するには、ネットワークを介してコンピュータから受信した一番最初の印刷ジョブを出力している最中に、その後の印刷ジョブをリアルタイムに受け付けておいて、印刷装置内に大容量の記憶装置を装備して印刷ジョブを一時的に保持し、順番に出力する手段がある。
【０００５】
また、仮想プリントサーバなどでは、印刷装置内には大容量の記憶装置を持たず、印刷順位情報の記載された印刷ジョブチケットを印刷ジョブ送信元コンピュータに配布して画像データ送信を待機させておき、印刷装置が印刷可能の状態になった時点で画像データをホストコンピュータから送信させる方法がある。
【０００６】
ただし、どちらの場合においても、印刷装置にエラーが発生した場合は先頭の印刷ジョブが印刷できないため、後続の印刷ジョブが詰まって印刷できなくなってしまう為、先頭の印刷ジョブを削除するか、あるいは印刷順番を変更した方が印刷がスムーズにできる場合がある。印刷を滞りなく実行するために印刷実行順序の管理を行う例として次のようなものがある。
【０００７】
特許文献１は、ネットワーク内で共有されている印刷装置において紙なし、給紙ドアオープン、紙詰まり、ステープル針切れなどのオプション装置のエラーが発生した場合でも印刷を続行できるようにするために、例えば後続するジョブがエラーの発生した用紙サイズの排紙トレー等のオプション装置を使用した印刷手段を選択していないと判断した場合に、エラーの発生したジョブを中断して、後続するジョブを印刷可能な手段で印刷する印刷ジョブ管理方法である。
【０００８】
特許文献２は、ネットワーク内のホストコンピュータから送られてくる印刷ジョブのサイズと属性から印刷の実行順位を判別して印刷する方法である。この方法は、少量しか印刷しない人が、大量印刷をする人の後に印刷を開始した場合に、印刷時間が短いと判断された印刷ジョブを優先させることによって、少量印刷をするユーザーの無駄な待ち時間を軽減させる方法である。
【０００９】
特許文献３は、単色の記録剤使用量の予測から、記録剤の残量が不足していると判断した場合に次に待機している印刷ジョブで使用量の範囲に収まるものを印刷する方法である。
【００１０】
ネットワークを介して受信した印刷ジョブの実行が一時的に滞ってしまう原因の一つとして印刷装置の記録剤の残量切れがある。
【００１１】
複写機やレーザープリンタなどの印刷装置ではカラーの多種類の記録剤を搭載しているケースがあり、特にインクジェットプリンタの分野ではその傾向が強くなってきており、使用用途に応じて記録剤を使い分けることが多い。
【００１２】
記録剤は、用紙の種類によって定着の具合や、定着した後の見た目が変化するため、高品位な用紙には専用の記録剤を使用することでよりきれいな印刷結果を得られることが主な理由である。
【００１３】
例えば黒色を印刷目的に応じて使い分けるために、染料系と顔料系の２種類の記録剤を搭載した印刷装置などが出てきている。また、写真をきれいに印刷するために同色系であっても各色に複数の記録剤を搭載する場合もある。プリンタドライバで高品位のモードを選択したり写真専用の光沢紙を選択することで、用紙の種類にあった専用の記録剤を使用してよりきれいな印刷をすることができる。例えば、普通のマゼンダ色と写真用マゼンダ色の２種類の記録剤を同じ印刷装置に搭載することで、写真用の専用紙に写真を出力したときに、よりきれいなマゼンダの色彩表現が可能になる。
【００１４】
特許文献４は、用紙種類検知による印刷キューの変更方法である。
【００１５】
また、本発明の関連特許として特許文献５の光学センサを用いたインク残量検知方法がある。特許文献６は、インク使用量残量予測の方法である。
【特許文献１】特開２００２−３０７７９４号公報
【特許文献２】特開平１１−２３２０６０号公報
【特許文献３】特開平９−１２０３４５号公報
【特許文献４】特開２００１−１１３８００号広報
【特許文献５】特開２０００−４３２８７号公報
【特許文献６】特開２００１−２９３８５５号広報
【発明の開示】
【発明が解決しようとする課題】
【００１６】
印刷時に記録剤が残量不足あるいは残量切れになった場合、印刷が一時的に停止するか、エラー表示が出るなどして、ユーザーが記録剤を交換するまで後続の印刷ジョブの印刷が滞ってしまうという問題があった。
【００１７】
特にネットワークを介して、複数のホストＰＣから印刷要求命令が出された場合には、残量切れの記録剤を使用していない印刷ジョブを送信している別のユーザーまでもが待っている必要があった。
【００１８】
本発明は、以上の点に着目して成されたもので、ユーザーが記録剤を交換するまで後続の印刷ジョブの印刷が滞ってしまうことを回避でき、印刷時に残量切れエラーが発生した場合は他種類の記録剤によって印刷可能な待機中の印刷ジョブを検索し、優先させて印刷することができる印刷装置およびプリントサーバを提供することを目的とする。
【課題を解決するための手段】
【００１９】
印刷時に単一種類の記録剤が残量不足あるいは残量切れになっても、カラー印刷装置においては記録剤が多種類搭載されており他種の記録剤が十分に残っている可能性があるため、印刷時に残量切れエラーが発生した場合は他種類の記録剤によって印刷可能な待機中の印刷ジョブを検索し、優先させて印刷する手段を持つ。
【００２０】
また、印刷時に常に記録剤の残量を検知して待機中の印刷ジョブで使用されると推測される記録剤の量を照らし合わせた結果、未印刷ジョブの中で残量不足が見込まれるものについては後回しにして、印刷可能なものを優先させる。記録残量が切れる可能性が少しでも高いものを最後部に回すことでエラー発生による他のユーザーが余計な順番待ちをするリスクを回避できる。
【００２１】
すなわち、本発明の技術内容は以下の構成を備えることにより前記課題を解決できた。
【００２２】
（１）印刷命令および印刷データを送受信することのできる通信手段と、複数種類の記録剤と、各記録剤に記録剤残量検知手段を備え、印刷中に通信媒体を通して複数の外部機器からの印刷要求命令を受信した場合に印刷キューを受付順番で保持する記憶手段と、１つ以上の記録剤の残量切れを検知した時に印刷キューを検索し他の記録剤を使用することで印刷可能な印刷キューが見つかった場合には受付順番を変更する印刷ジョブ管理手段を備え、外部機器からネットワークを介して印刷処理を実行することを特徴とする印刷装置。
【００２３】
（２）印刷命令および印刷データを送受信することのできる通信手段と、複数種類の記録剤と、各記録剤に記録剤残量検知手段を備え、印刷中に通信媒体を通して複数の外部機器からの印刷要求命令を受信した場合に受付順番で印刷キューとして保持する記憶手段と、待機中の印刷ジョブの記録剤予測使用量を算出する手段を有し、記録剤残量検知結果と記録剤予測使用量の比較から各印刷ジョブでの記録剤の残量切れを予測し、印刷キューを検索し印刷不可能な印刷キューが見つかった場合には受付順番を変更する印刷ジョブ管理手段を備え、外部機器からネットワークを介して印刷処理を実行することを特徴とする印刷装置。
【００２４】
（３）前記通信手段と、印刷キューの記憶手段と、印刷ジョブ管理手段に関して（１）または（２）に記載の印刷装置と同等の機能を備えたことを特徴とするプリントサーバ。
【発明の効果】
【００２５】
印刷時に記録剤が残量不足あるいは残量切れになった場合、印刷が一時的に停止するか、エラー表示が出るなどして、ユーザーが記録剤を交換するまで後続の印刷ジョブの印刷が滞ってしまうことを回避できる。特にネットワークを介して、複数のホストＰＣから印刷要求命令が出された場合には、残量切れの記録剤を使用していない別のユーザーまでもが待っている必要がなくなる。
【００２６】
印刷時に単一種類の記録剤が残量不足あるいは残量切れになっても、カラー印刷装置においては記録剤が多種類搭載されており他種の記録剤が十分に残っている可能性があるため、印刷時に残量切れエラーが発生した場合は他種類の記録剤によって印刷可能な待機中の印刷ジョブを検索し、優先させて印刷することができる。
【発明を実施するための最良の形態】
【００２７】
本発明の実施形態について、図面を参照して説明する。
【実施例】
【００２８】
図１は、ネットワーク印刷に対応したインクジェットプリンタの構成図である。なお、本発明が適用可能な印刷装置は、インクジェットプリンタに限られるものではなく、レーザープリンタ等、他の印刷装置であっても構わない。また、この印刷装置は、複数のホストＰＣからの印刷命令や画像データを受信することのできるネットワーク機能を有するものとする。
【００２９】
印刷装置基板部１には、印刷装置を制御したり外部のホストＰＣと通信したりする為の電気系統が実装されている。この基板の各構成部はデータ・バス１１によってデータの送受信を行っている。印刷装置基板部１は、中央演算装置（ＣＰＵ）２、プログラムなどを記憶しておくＲＯＭ部４、プログラム実行時のメモリ領域や印刷時のバッファとして使用されるＲＡＭ部６、ホストから送信された印刷ジョブに基づいて実際の印刷を行うプリントエンジン部５と通信インターフェース部から構成されている。
【００３０】
プリントエンジン部５は、印刷キャリッジ部１２を制御して、記録剤１３を記録剤吐出部１４から吐出させて印刷用紙に定着させる。
【００３１】
ネットワーク・インターフェース制御部分７〜１０は例えば、ＵＳＢ、ＩＥＥＥ１３９４、有線ＬＡＮ（ＩＥＥＥ８０２．２３標準）などの物理的ケーブルを用いた通信インターフェース、あるいは無線ＬＡＮ（ＩＥＥＥ８０２．１１標準）など電波を用いた通信インターフェースを表している。物理的ケーブルを用いる場合、ＵＳＢ、ＩＥＥＥ１３９４、有線ＬＡＮのどれであっても対応するコントローラによって送受信を行う。無線インターフェースの場合は、カード型のものが多く普及しており、例えばＰＣＭＣＩＡカードやＣＦ（コンパクトフラッシュ（登録商標））カードなどを使用する場合、カードを挿し込む為の接続部が必要となる。
【００３２】
記録剤１３は例えば図２のような実施形態が考えられる。記録剤の種類は、ブラック（Ｂｋ）１６、シアン（Ｃ）、マゼンダ（Ｍ）、イエロー（Ｙ）、フォト・シアン（ＰＣ）、フォト・マゼンダ（ＰＭ）が印刷キャリッジ部に装着されている。ただし、記録剤の種類や数を限定する必要はない。記録剤１７はシアン、マゼンダ、イエローで主に普通紙に用いられる。また、記録剤１８はフォト・シアン、フォト・マゼンダは高品位用紙に用いることでよりきれいに印刷できる。また、図２には記載されていないが、ブラック１６は、顔料系ブラックと染料系ブラックの２種類を搭載する場合も考えられる。今後、ここで述べたものの他にも多目的、複数色の記録剤が搭載されると予想できる。
【００３３】
また、記録剤１３には、記録剤の残量検知機能がついている。インクジェットプリンタの場合、インクタンク本体の内部に光学的反射部、および光学的反射部に向けて発光される光学センサを設けることによって、光学的にインクの液位を検知することができる。さらに、記録ヘッドの吐出口から吐出されるインク滴を計測するインク滴計測手段とインク残量係数記憶部を有する（ドットカウント方式）。光学的センサとドットカウント方式を組み合わせることによってインク残量をより細かく知ることができることが特許文献４に記載されている。
【００３４】
印刷装置の印刷制御、およびホストＰＣとのネットワーク通信は印刷装置のＲＯＭ部４に格納されたＯＳプログラムと、機能単位に動作するタスク・プログラムによって管理され、プログラムは中央演算装置２によって実行される。タスクには優先度が数値で与えられており、実時間性、即答性が要求されるタスクほど優先度が高い。印刷制御およびネットワークを介した送受信の管理を同時に行うために、実時間処理が可能なＯＳプログラムを使用する。機能単位に動作するタスクには、ＯＳ起動タスク、印刷ジョブ管理タスク、ネットワーク通信制御タスクがある。
【００３５】
ＯＳ起動タスクの基本的な役割は、印刷装置のＲＡＭ部４やＩＦコントローラ９の設定、各タスクのフラグ値、あるいはネットワークの設定値などの初期化である。また、起動時には、使用されているインターフェースがＵＳＢ、無線、その他のいずれかであるかをチェックする。まず、ＯＳ起動タスクは、電源部３の手動スイッチのＯＮ／ＯＦＦまたはソフトウェア的なリセットによって動作を開始する。また、インターフェースに無線／有線ＬＡＮが使用されている場合は、ＩＰアドレスを取得する。
【００３６】
ネットワーク通信制御タスクの役割は、接続されたインターフェースあるいはコネクションを使用してホストＰＣとのデータの送受信を行うことである。
【００３７】
印刷ジョブ管理タスクは、印刷待ちジョブの順番管理と、印刷装置内のステータス管理、そして実際にプリンタエンジン部５への印刷命令を行う。
【００３８】
１台の印刷装置内部に共有の印刷ジョブ・テーブルを保持することで、複数のユーザーからの印刷要求を実時間で管理し、同時にユーザーから要求のあった順番で順次印刷することを可能とする。
【００３９】
まず、ホストＰＣ側から発信される印刷要求情報には、印刷要求を送信した日付、時間、発信元アドレス、発信元ホストＰＣ名またはユーザー名、印刷枚数、データ容量、印刷ジョブに関する属性など印刷装置の機能に応じて情報が添付される。
【００４０】
そして印刷装置側では印刷要求パケットを受信した後、印刷ジョブ管理タスクが印刷ジョブ・テーブルを参照する。
【００４１】
１台の印刷装置に複数のホストＰＣから印刷ジョブがほぼ同時期に送信された場合、印刷装置によって最初に受信した印刷ジョブが印刷を開始した後、印刷中において受信した他の印刷ジョブ情報が共有の印刷ジョブ・テーブルに保存される。
【００４２】
印刷ジョブ管理タスクにおける処理は図３のフロー図のようになる。ここで、印刷ジョブがＡ、Ｂ、Ｃの受付順であるとする。また印刷ジョブＡ，Ｂ，Ｃをすべて受付終了後にインク切れエラーが発生したものとして説明する。
【００４３】
例えば、印刷中にまず写真の印刷ジョブＡが受信され、次にＷＥＢページの印刷ジョブＢが受信され、その直後に、写真用のマゼンダ色が残量切れになったとする。ＷＥＢページの印刷ジョブでは写真用の記録剤は使用しないので写真の印刷ジョブを抜かし、先行して印刷することが可能である。
【００４４】
あるいは、印刷中にまずカラーの印刷ジョブが受信され、次にテキストの印刷ジョブが受信され、その直後にいずれかのカラー記録剤が残量切れになったとする。テキストの印刷ジョブではカラーの記録剤は使用しないのでカラーの印刷ジョブを抜かし、先行して印刷することが可能である。
【００４５】
初めに印刷キューの動作について説明する。図３の印刷キューの追加処理のステップＳ１０において、最初に受信された印刷ジョブＡの場合、ステップＳ１１で印刷中ではないと判断されステップＳ１４へ進み、印刷を開始する。そして印刷ジョブＡの印刷を開始する。次に、印刷ジョブＢを受信すると、ステップＳ１１において印刷中と判断されるのでステップＳ１２に進む。この瞬間に、印刷ジョブ・テーブルに保存されているキューの総数であるキュー番号Ｎの初期値は０であり、ステップＳ１２においてキュー番号Ｎを１つ加算した後、ステップ１３で印刷中に受信した印刷ジョブＢが先頭キューに保存される。
【００４６】
引き続き印刷ジョブＡが印刷中なので、印刷ジョブＣが受信されるとステップＳ１２においてキュー番号Ｎ＝２になり、ステップＳ１３でキューに追加される。従ってこの時点で印刷ジョブ・テーブルには、印刷ジョブＢ、印刷ジョブＣの順で２つのキューが登録されている。
【００４７】
印刷を滞りなく実行するために、残量不足あるいは残量切れによるエラーとは直接関係の無い、他の種類の記録剤によって印刷可能な待機中の印刷ジョブを検索する処理について説明する。
【００４８】
図４は、インク残量切れのエラー発生時に起動される処理のフロー図である。
【００４９】
ステップＳ２０で、インクに設置された残量検知センサからのエラー通知信号があったことを確認すると、ステップＳ２１で残量切れとなっている記録剤の種類を特定する。残量切れとなっている記録剤が単数であるとは限らないが、複数である場合も処理の流れは同じである。
【００５０】
ステップＳ２２は印刷キューの順位変更処理であり、図５に処理の詳細を示した。
【００５１】
まず、ステップＳ３０で、１番目のキューから蓄積されているキューの総数Ｎ番目までを逐次検索していき、ステップＳ３１で印刷ジョブの記録剤の種類を限定する属性を見て現在の使用可能なインクだけで印刷可能であるかを判断する。印刷ジョブの属性には通常使用するインク種類が記載されている。
【００５２】
ここで、通常はホストＰＣ側で使用する印刷用紙を指定するが、逆に印刷装置側で用紙種類検知センサを用いる場合もある。この場合、ユーザーが印刷装置の給紙口挿入した用紙が実際に使用するインク種類を選択することになる。
【００５３】
また、使用インクの直接指定、カラー／モノクロ（写真／テキスト）指定、高品位／高速（高画質／粗い）、用紙種類など、使用インクに関わる印刷ジョブの属性を読み込んでおく必要がある。特に印刷装置側で用紙種類を検知する場合は送信される印刷ジョブ（ユーザーがプリンタドライバによって設定可能）に記載されているインク関連の属性よりも印刷装置側の用紙が優先される設定になっている可能性が高いためステップＳ２１、ステップＳ３１の判断基準において印刷装置側での用紙種類検知結果を選択するように設定した方が良い。
【００５４】
ステップＳ３１で、検索中のｉ番目のキューが印刷可能であると判定された時は、ステップＳ３２においてｉ番目のキューを先頭へ移動する。この時、印刷不可能なキューを最後尾へ移動しても同様である。また、検索中に複数のキューが見つかった場合は、印刷可能なキュー同士での印刷順番が変わらないように先頭へ２番目、３番目と移動する。
【００５５】
印刷処理の最後にステップＳ２３で、ユーザーへの印刷状態の通知を行う。この時、印刷待機中のすべてのホストＰＣに印刷キューの順番が変更されることを通知しても良いが、実際にインク切れのエラー原因となっている印刷ジョブを発行したホストＰＣだけに通知を行うことも可能である。この際に、印刷ジョブに記載された送信元アドレスを参照してエラー通知を行う。
【００５６】
また、特許文献６のように待機中の印刷ジョブの記録剤予測使用量を算出する方法を利用した場合、記録剤残量検知結果と記録剤予測使用量を比較して、各印刷ジョブでの記録剤予測使用量が記録剤残量検知結果を上回った時に残量切れが発生すると判断して、印刷キューを検索し印刷不可能な印刷キューが見つかった場合には受付順番を変更して、エラー発生を未然に回避して印刷処理を実行することができる。
【００５７】
以上、実施例は印刷装置に特化して記載したものの、プリントサーバについても同様にネットワーク通信手段、印刷ジョブ管理手段だけが搭載され、残りの機能である印刷手段、記録剤残量検知手段は印刷装置に搭載されており、それらの組み合わせでも良い。
【００５８】
［産業上の利用可能性］
無線ＬＡＮや有線ＬＡＮ等のネットワークを介して、ホストＰＣからの印刷要求を受信することができる印刷装置および印刷システムでの印刷ジョブ管理への応用が考えられる。
【００５９】
既に複写機やレーザープリンタなどの印刷装置ではカラーの多種類の記録剤を搭載しているケースがあり、特にインクジェットプリンタの分野ではその傾向が強くなってきている為、本発明を用いることで円滑な要求順印刷を行うことができる。
【図面の簡単な説明】
【００６０】
【図１】本発明の実施例に関わるネットワーク通信機能を備えた印刷装置を示す図である。
【図２】本発明の実施例に関わる記録剤の構成を示す図である。
【図３】本発明の実施例に関わる印刷キューの追加処理のフロー図である。
【図４】本発明の実施例に関わる記録剤残量エラー処理のフロー図である。
【図５】本発明の実施例に関わる印刷キューの順位変更処理のフロー図である。
【図６】本発明の実施例に関わる記録剤残量エラー処理のフロー図である。
【符号の説明】
【００６１】
１    印刷装置基板部
２    中央演算装置（ＣＰＵ）
３    電源部
４    ＲＯＭ部
５    プリントエンジン部
６    ＲＡＭ部
７    ＩＦカード接続部
８    無線ＩＦカード
９    ＩＦコントローラ
１０  ＩＦ接続部
１１  データ・バス
１２  印刷キャリッジ部
１３  記録剤
１４  吐出部
【図１】
2006263968.tif 000003
【図２】
2006263968.tif 000004
【図３】
2006263968.tif 000005
【図４】
2006263968.tif 000006
【図５】
2006263968.tif 000007
【図６】
2006263968.tif 000008